(57)【要約】【課題】拡張ユニットの装着・未装着の選択などが可能で、カメラの機能拡張の柔軟性を高めることができるカメラ及びアクセサリー装置を提供する。【解決手段】カメラは、カメラ本体1と、アクセサリー装置4を格納するためのアクセサリー格納部5を有する。アクセサリー格納部5は、カメラ本体を駆動させる電池の接続端子との電気的接続を行なう接続端子と、カメラ機能を拡張させる拡張ユニットの接続端子との電気的接続を行なう接続端子を有する。アクセサリー格納部5に格納される電池と拡張ユニットのうちの少なくとも一方をカメラ本体1に接合させるためのアクセサリー着脱蓋と係合する係合部も有する。【選択図】図1
2010102052.tif 000002
【特許請求の範囲】
【請求項１】
カメラ本体と、
アクセサリー装置を格納するためのアクセサリー格納部と、を有するカメラであって、
前記アクセサリー格納部は、
前記カメラ本体を駆動させるアクセサリー装置を構成する電池の接続端子との電気的接続を行なうための電池接続端子と、
カメラ機能を拡張させるアクセサリー装置を構成する拡張ユニットの接続端子との電気的接続を行なうための拡張ユニット接続端子と、
前記アクセサリー格納部に格納される前記電池と前記拡張ユニットのうちの少なくとも一方を前記カメラ本体に接合させるためのアクセサリー装置を構成するアクセサリー着脱蓋と係合するための保持部と、を有することを特徴とするカメラ。
【請求項２】
カメラ本体と、
アクセサリー装置を格納するためのアクセサリー格納部と、を有するカメラであって、
前記アクセサリー格納部は、
前記カメラ本体を駆動させるアクセサリー装置を構成する電池の接続端子との電気的接続を行なうための電池接続端子と、
アクセサリー着脱蓋とカメラ機能を拡張させる拡張ユニットとが一体的にされたアクセサリー装置を構成する拡張アクセサリー着脱蓋の接続端子との電気的接続を行なうための拡張ユニット接続端子と、
前記アクセサリー格納部に格納される前記電池と前記拡張アクセサリー着脱蓋、または前記拡張アクセサリー着脱蓋を前記カメラ本体に接合させるための前記拡張アクセサリー着脱蓋と係合するための保持部と、を有することを特徴とするカメラ。
【請求項３】
前記電池接続端子と前記拡張ユニット接続端子は、前記アクセサリー格納部へのアクセサリー装置の格納方向と直交する方向に互いにずれて配置され、前記電池が前記アクセサリー格納部へ格納される際に前記電池の接続端子が前記拡張ユニット接続端子と接触しない様になっていること特徴とする請求項1または2に記載のカメラ。
【請求項４】
前記電池接続端子は、前記アクセサリー格納部へのアクセサリー装置の格納方向に伸びていて、
前記電池が、単独で前記アクセサリー格納部へ格納される際も、前記拡張ユニットまたは前記拡張アクセサリー着脱蓋と共に前記アクセサリー格納部へ格納される際も、前記電池の接続端子が前記電池接続端子と接触できる様になっていること特徴とする請求項1から3のいずれか1項に記載のカメラ。
【請求項５】
前記アクセサリー格納部は、その格納口に近い側から、アクセサリー着脱蓋、拡張ユニット、電池の順、或いはアクセサリー着脱蓋、電池の順、或いは拡張アクセサリー着脱蓋、電池の順に略直線的に直列に配列させる様に構成されていること特徴とする請求項1から4のいずれか1項に記載のカメラ。
【請求項６】
前記アクセサリー格納部は前記カメラ本体の下部に設けられ、
前記アクセサリー格納部の格納口が、前記撮影レンズの光軸を挟んで前記カメラ本体のグリップと反対側の側面に位置する様に構成されていることを特徴とする請求項1から5のいずれか1項に記載のカメラ。
【発明の詳細な説明】
【技術分野】
【０００１】
本発明は、アクセサリー格納部を持つ撮影画像を電子データに変換する電子カメラなどのカメラに関する。
【背景技術】
【０００２】
従来、撮影した画像を電子データに変換する機能を備える電子カメラには、カメラ機能を拡張させる拡張システムが提案され、アクセサリー装置としてカメラ外部に装着されるものがある。例えば、カメラ外部に装着されるアクセサリー装置として、電池と無線装置本体と無線通信用アンテナと外部接続端子が一体的に構成されたものがある（特許文献1参照）。また、カメラ外部に装着されるアクセサリー装置として、拡張ユニットが交換自在に着脱される様に構成されたものがある（特許文献2参照）。
【特許文献１】特開2001-352477号公報
【特許文献２】特開2005-354503号公報
【発明の開示】
【発明が解決しようとする課題】
【０００３】
しかし、上記の様な従来装置には以下の点が指摘される。特許文献1のカメラシステムでは、アクセサリー装置は、電池、カメラ機能を拡張させる拡張ユニットとしての無線通信システム、及び外部接続端子を内蔵したものである。アクセサリー装置自体は一体化されており、例えば、拡張機能の1つである無線通信機能を担う無線通信システムが不要な場合でも、該システムをアクセサリー装置から脱離できない。また、電池残量が不足した場合は、電池交換と共に無線通信システムも交換しなければならない。
【０００４】
特許文献2のカメラシステムでは、拡張ユニットはアクセサリー装置に対して着脱自在な構成となっているが、アクセサリー装置はカメラ本体の外側に装着され、カメラ本体内に格納することができない。そのため、カメラ本体と通信するための接続部位が多くなってしまい、ノイズの発生源になったり、通信のための信号が劣化したり、更には部品点数が増加したりしてしまう要因となっていた。また、無線通信用アンテナや外部接続端子のカメラ本体に対する配置については、何も開示されていない。
【課題を解決するための手段】
【０００５】
上記課題に鑑み、本発明のカメラは、カメラ本体と、アクセサリー装置を格納するためのアクセサリー格納部と、を有する。そして、前記アクセサリー格納部は、前記カメラ本体を駆動させるアクセサリー装置を構成する電池の接続端子との電気的接続を行なうための電池接続端子と、カメラ機能を拡張させるアクセサリー装置を構成する拡張ユニットの接続端子との電気的接続を行なうための拡張ユニット接続端子と、前記アクセサリー格納部に格納される前記電池と前記拡張ユニットのうちの少なくとも一方を前記カメラ本体に接合させるためのアクセサリー装置を構成するアクセサリー着脱蓋と係合するための保持部と、を有する。
【０００６】
また、上記課題に鑑み、本発明のカメラは、カメラ本体と、アクセサリー装置を格納するためのアクセサリー格納部と、を有する。そして、前記アクセサリー格納部は、前記カメラ本体を駆動させるアクセサリー装置を構成する電池の接続端子との電気的接続を行なうための電池接続端子と、アクセサリー着脱蓋とカメラ機能を拡張させる拡張ユニットとが一体的にされたアクセサリー装置を構成する拡張アクセサリー着脱蓋の接続端子との電気的接続を行なうための拡張ユニット接続端子と、前記アクセサリー格納部に格納される前記電池と前記拡張アクセサリー着脱蓋を前記カメラ本体に接合させるための前記拡張アクセサリー着脱蓋と係合するための保持部と、を有する。
【発明の効果】
【０００７】
本発明のカメラによれば、拡張ユニット装着・未装着の選択などが可能で、ユーザー毎に異なる付加機能拡張の要求に対し、カメラの機能拡張の柔軟性を高めることができる。また、アクセサリー装置はカメラ本体の外側に装着されるのではなく、カメラ本体に設けられた格納部内に格納すればよいことになる。
【発明を実施するための最良の形態】
【０００８】
以下、本発明の実施の形態を説明する。本発明によるカメラ及びアクセサリー装置の基本的な実施形態は、次の構成を有する。撮影した画像を電子データに変換する電子カメラなどのカメラの実施形態は、カメラ本体と、アクセサリー装置を格納するためのアクセサリー格納部を有する。前記アクセサリー格納部は、電池接続端子と、拡張ユニット接続端子と、保持部を有する。前記電池接続端子は、カメラ本体を駆動させるアクセサリー装置を構成する電池の接続端子との電気的接続を行なう。前記拡張ユニット接続端子は、カメラ機能を拡張させるアクセサリー装置を構成する拡張ユニットの接続端子との電気的接続を行なう。前記保持部は、アクセサリー格納部に格納される前記電池と前記拡張ユニットのうちの少なくとも一方をカメラ本体に接合させるためのアクセサリー装置を構成するアクセサリー着脱蓋と係合するための部材である。
【０００９】
また、カメラの他の基本的な実施形態は、カメラ本体と、アクセサリー装置を格納するためのアクセサリー格納部を有する点では前記実施形態と同じであるが、次の点で異なる。ここでは、アクセサリー格納部の拡張ユニット接続端子は、アクセサリー着脱蓋とカメラ機能を拡張させる拡張ユニットとが一体的にされたアクセサリー装置を構成する拡張アクセサリー着脱蓋の接続端子との電気的接続を行なう。
【００１０】
前記基本的な実施形態において、以下に述べる様な構成にすることが可能である。例えば、前記電池接続端子と前記拡張ユニット接続端子は、アクセサリー格納部へのアクセサリー装置の格納方向と直交する方向に互いにずらして配置することが可能である。こうすれば、電池がアクセサリー格納部へ格納される際に電池の接続端子が拡張ユニット接続端子と確実に接触しない様になる。
【００１１】
前記電池接続端子は、アクセサリー格納部へのアクセサリー装置の格納方向に長く伸ばして形成することが可能である。こうすれば、前記電池が、単独でアクセサリー格納部へ格納される際も、拡張ユニットまたは拡張アクセサリー着脱蓋と共にアクセサリー格納部へ格納される際も、電池の接続端子が電池接続端子と確実に接触できる様になる。
【００１２】
前記アクセサリー格納部は、その格納口に近い側から、アクセサリー着脱蓋、拡張ユニット、電池の順、或いはアクセサリー着脱蓋、電池の順、或いは拡張アクセサリー着脱蓋、電池の順に略直線的に直列に配列させる様に構成され得る。こうすれば、例えば、後述する制御基板と拡張ユニットと外部接続端子が近距離に配置できるため、配線長が短く電気的にも効率の良いカメラシステムを構築することが可能となり、簡易な構成で効率の良いカメラシステムを提供できる。
【００１３】
前記アクセサリー格納部はカメラ本体の下部に設けられ、アクセサリー格納部の格納口が、撮影レンズの光軸を挟んでカメラ本体のグリップと反対側の側面に位置する様に構成され得る。こうすれば、例えば、外部接続端子が撮影レンズの光軸に対しグリップと反対側の側面から延出する様にできるため、カメラの操作性に優れる。また、配線長が短く電気的にも効率の良いカメラシステムを構築することにも寄与できる。
【００１４】
また、アクセサリー装置を構成する電池の基本的な実施形態は、アクセサリー格納部に設けられた電池接続端子との電気的接続を行なうための接続端子を有する。これと共に、アクセサリー装置を構成する拡張アクセサリー、またはアクセサリー着脱蓋、または拡張アクセサリー着脱蓋と機械的に係合するための係合部も有する。前記電池接続端子は、アクセサリー格納部への電池の格納方向に長く伸びる様に形成することができる。こうした形態では、前記アクセサリー格納部の長く伸びた電池接続端子と協働して、如何なるときも、電池の接続端子とアクセサリー格納部の電池接続端子とが確実に接触する様になる。
【００１５】
また、アクセサリー装置を構成する拡張ユニットの基本的な実施形態は、カメラのアクセサリー格納部に格納されるためのアクセサリー装置でありカメラ機能を拡張させる。この拡張ユニットは、アクセサリー格納部に設けられた拡張ユニット接続端子との電気的接続を行なうための接続端子を有する。これと共に、アクセサリー装置を構成する電池と機械的に係合するための第1の係合部と、アクセサリー装置を構成するアクセサリー着脱蓋と機械的に係合するための第2の係合部を有する。
【００１６】
拡張ユニットは、例えば、有線通信システムまたは無線通信システムの機能のいずれかを有する様にできる。この場合、例えば、拡張ユニットまたはアクセサリー着脱蓋のいずれかに設けられる端子群の少なくとも1つは、有線通信用ケーブル接続端子または無線通信用アンテナ接続端子である。
【００１７】
また、アクセサリー装置を構成する拡張アクセサリー着脱蓋の基本的な実施形態は、カメラのアクセサリー格納部に格納され、カメラ本体とアクセサリー装置を接合させるアクセサリー着脱蓋の機能とカメラ機能を拡張させる拡張機能を備える。拡張アクセサリー着脱蓋は、アクセサリー格納部に設けられる拡張ユニット接続端子との電気的接続を行なうための接続端子を有する。これと共に、アクセサリー装置を構成する電池と機械的に係合するための第1の係合部と、カメラ本体の保持部と機械的に係合してカメラ本体にアクセサリー装置を接合させるための第2の係合部を有する。
【００１８】
拡張アクセサリー着脱蓋も、例えば、有線通信システムまたは無線通信システムの機能のいずれかを有する様にできる。この場合、例えば、拡張アクセサリー着脱蓋に設けられる端子群の少なくとも1つは、有線通信用ケーブル接続端子または無線通信用アンテナ接続端子である。
【００１９】
前記実施形態のカメラ及びアクセサリー装置によっても、拡張ユニット装着・未装着の選択などが可能で、カメラの機能拡張の柔軟性を高めることができる。また、アクセサリー格納部がカメラ本体に設けられ、アクセサリー装置をカメラ本体内に格納することができるため、カメラと通信などをするための接続部位が少なくて済む。よって、ノイズの発生源の増加、通信のための信号の劣化、更には部品点数の増加を抑えることができる。
【実施例】
【００２０】
以下、本発明によるカメラとアクセサリー装置の実施例を図面を参照して説明する。
【００２１】
（実施例1）
図1は、本発明によるカメラとアクセサリー装置の第1の実施例を示す斜視図である。図2は、電池と拡張ユニットが装着された本実施例のアクセサリー装置の展開斜視図である。
【００２２】
図1において、1はカメラ本体であり、2はカメラグリップ部であり、3は撮影用のレンズ、4はアクセサリー装置である。5は、アクセサリー装置4を格納する空間を持つアクセサリー格納部である。アクセサリー格納部5は、カメラ本体1と一体的に形成され、アクセサリー格納口5aを有する。アクセサリー装置4は、撮影用レンズ3を挟んでカメラグリップ部2と相対する側面に設けられたアクセサリー格納口5aから、図中の矢印で示す格納方向に沿ってアクセサリー格納部5の空間内に挿入される。
【００２３】
一方、図2において、6は、アクセサリー装置4を構成する拡張ユニットである。拡張ユニット6には無線・有線通信システムが内蔵されている。7は無線通信用アンテナ接続端子であり、8は有線通信用ケーブル接続端子である。9は、外部接続用端子であり、例えばUSBコネクタ等である。10はカメラ接続端子である。カメラ本体1のアクセサリー格納部5にアクセサリー装置4が装着された場合、カメラ本体1内部に設けられアクセサリー格納部5の格納空間に露出した拡張ユニット接続端子22（後述）とカメラ接続端子10は電気的に接続される。これにより、カメラ本体1との通信が可能となる。図2の状態では、カメラ接続端子10は、摺動可能なスライダに覆われているが、アクセサリー装置4がアクセサリー格納部5内に挿入されるとき、このスライダはスライドしてその下の複数のカメラ接続端子10が露出する。図2に破線で示す様に、カメラ接続端子10は、例えば、複数の細長い接点で構成される。こうして、カメラ接続端子10は拡張ユニット接続端子22と所定の態様で接続される。
【００２４】
また、11は、アクセサリー装置4を構成する二次電池である。12はカメラ接続端子であり、カメラ本体1のアクセサリー格納部5にアクセサリー装置4が装着された場合、カメラ本体1内部に設けられアクセサリー格納部5の格納空間に露出した一対の電池接続端子24（後述）と電気的に接続される。これにより、カメラ本体1との間で通信・電力供給が可能となる。ここでは、カメラ接続端子12は、アクセサリー装置4の格納方向に長く伸びた一対の平板からなる。一対の平板は、格納方向に伸びた電池11の中心部の両側に対称的に設けられている。これにより、同じく同方向に長く伸びた電池接続端子24とカメラ接続端子12は、電池11の格納位置が前記格納方向において変化しても、電気的に確実に接続されることになる（後述の図8も参照）。
【００２５】
また、アクセサリー格納部5内の電池接続端子24と拡張ユニット接続端子22は、アクセサリー格納部5へのアクセサリー装置4の格納方向と直交する方向に互いにずれて配置されている。この様子が後述する図5に示されている。また、アクセサリー格納部5内を上から見た後述の図8にも、電池接続端子24、拡張ユニット接続端子22、電池11のカメラ接続端子12（アクセサリー装置4と共にアクセサリー格納部5内に格納）などの位置関係が破線で示されている。これに応じて、拡張ユニット6におけるカメラ接続端子10の形成位置と電池11におけるカメラ接続端子12の形成位置が図2に示す様に決められている。これにより、電池11がアクセサリー格納部5へ格納される際に、途中で電池の接続端子12が拡張ユニット接続端子22と接触しない様になる。格納の際、瞬間的にでも電池11が拡張ユニット接続端子22を介して制御基板21と電気的に繋がるのは絶対に避ける必要があるが、電池接続端子24と拡張ユニット接続端子22の前記配置によりこうした事態が確実に回避される。
【００２６】
二次電池11には、拡張ユニット6と機械的に係合する係合部である穴11aがある。この穴11aは、拡張ユニット6に設けられたロック釦13を操作することにより回動するロック爪（図示せず）と係合し、電池11と拡張ユニット6を機械的に接合させる。
【００２７】
更に、14は、アクセサリー装置4を構成するアクセサリー着脱蓋である。15はカメラロックツマミである。カメラロックツマミ15を回転させることによりカメラロックレバー16が回動し、カメラ本体1に設けられた穴部（図示せず）と係合し、カメラ本体1とアクセサリー装置4が機械的に保持・接合される。すなわち、アクセサリー装置をアクセサリー格納部5に挿入してツマミ15を回転させると、レバー16がアクセサリー着脱蓋14から突出してカメラ本体1の穴部に嵌まり、アクセサリー装置4はカメラ本体1に保持される。そして、ツマミ15を逆方向に回転させて、レバー16がアクセサリー着脱蓋14から突出しない状態にすると、アクセサリー装置4はアクセサリー格納部5から取り出せるようになる。17は接続端子穴である。アクセサリー着脱蓋14に拡張ユニット6が装着された場合は拡張ユニット6に設けられた各端子7、8、9が穴17に挿入され、アクセサリー着脱蓋14を通してアンテナ18、外部接続ケーブル19等と接続される。アクセサリー着脱蓋14には、拡張ユニット6または二次電池11と機械的に接合するロック爪（図示せず）がある。ロック釦20を操作することにより該ロック爪が回動し、二次電池11と同様に拡張ユニット6に設けられた係合部である穴6aと係合する。
【００２８】
本実施例では拡張ユニット6には無線・有線通信システムが内蔵されているが、拡張ユニットとしてはこれらのシステムに限るものではない。GPS（global positioning system）ユニット、半導体メモリユニット、電波時計ユニットなどであってもよい。また、電池11は二次電池としているが、勿論これに限るものではない。乾電池などでもよい。
【００２９】
図3は、二次電池11と拡張ユニット6が装着されたアクセサリー装置4をアクセサリー格納部5内に装着した様子を示すカメラの背面透視図である。図3において、21は、画像処理やカメラ制御や拡張ユニットの制御などを実行するためのマイコン等が搭載された前述した制御基板である。22は、拡張ユニット6に設けられたカメラ接続端子10と接続して通信などを行うための前述した拡張ユニット接続端子であり、制御基板21に実装されている。23は、各ユニットや素子に電力を供給するための電源基板である。24は、二次電池11に設けられたカメラ接続端子12と接続して通信・電力供給などを行うための前述した電池接続端子であり、電源基板23に実装されている。アクセサリー装置4がカメラ本体1に装着されると、拡張ユニット6及び二次電池11の夫々のカメラ接続端子がカメラ本体側の接続端子と接続され、アクセサリー装置4とカメラ本体1の間の通信及び電源の供給が可能となる。図3では、二次電池11の一方のカメラ接続端子12と、電源基板23に実装された一方の電池接続端子24が見える。アクセサリー装置4をカメラ本体1に装着する際、二次電池11と拡張ユニット6をロック爪や係合部で接合すると共に、アクセサリー着脱蓋14と拡張ユニット6をロック爪や係合部で接合してアクセサリー装置4を一体的にする。この一体的になったアクセサリー装置4を、電池11側からアクセサリー格納部5内に挿入して、アクセサリー着脱蓋14のカメラロックレバー16をカメラ本体1の保持部である穴部に係合する。このことで、カメラ本体1にアクセサリー装置4を接合できる。拡張ユニット接続端子22をアクセサリー格納部5から取り出すときは、アクセサリー着脱蓋14のカメラロックレバー16をカメラ本体1の穴部から外して、一体的になったアクセサリー装置4を一体的に取り出せばよい。
【００３０】
次に、図4と図5と図8を用いて、拡張ユニット6を装着しないアクセサリー装置4をアクセサリー格納部5内に格納する場合について説明する。図4は、拡張ユニットが装着されていないアクセサリー装置4の展開斜視図である。図5は、拡張ユニットが装着されていないアクセサリー装置4をアクセサリー格納部5内に装着した様子を示すカメラの背面透視図である。また、図8は、図5に対応する上面透視図である。
【００３１】
図4において、アクセサリー着脱蓋14には、前述した様に、二次電池11の係合部と機械的に係合するために設けられたロック爪（図示せず）があり、ロック釦20を操作することで回動し、二次電池11の係合部である穴11aと係合する。ここで、拡張ユニット6に設けられる係合部（穴6a）と二次電池11に設けられる係合部（穴11a）を共通の構造にすることにより、拡張ユニット6を装着するか否かを使用者に選択させることが可能となる。拡張ユニット6を装着しないとき、アクセサリー着脱蓋14に設けられた穴17は、二次電池11の壁面と隙間なく密着させることにより、ゴミや水のアクセサリー格納部5内への浸入を確実に防ぐことが可能となる。
【００３２】
図5と図8に示す様に、二次電池11に設けられたカメラ接続端子12は、アクセサリー装置4に拡張ユニット6が装着されていない場合でも、電池接続端子24と接触可能な長さに設定されている。すなわち、前述した様に、カメラ接続端子12は、アクセサリー装置4の格納方向に長く伸びているので、同じく同方向に長く伸びた電池接続端子24と、電池11の格納位置が格納口側に移動しても、電気的に確実に接続される。この場合、拡張ユニット接続端子22は、拡張ユニット6が装着されていないためどこにも接続されず、電気的にオープン状態となる。電池接続端子24と拡張ユニット接続端子22の配置、及び拡張ユニット6のカメラ接続端子10と電池11のカメラ接続端子12の形成位置は前述した様になっている。よって、こうした電池接続端子24の接続と拡張ユニット接続端子22の非接続が確実に行われる。このアクセサリー装置4のカメラ本体1への着脱も、二次電池11と拡張ユニット6とアクセサリー着脱蓋14が一体的なったアクセサリー装置4における前記カメラ本体1への着脱と同様に行うことができる。
【００３３】
この様に本実施例では、拡張ユニットのアクセサリー装置4への装着・非装着の選択が可能である。また、図1と図2に示す様に、外部接続端子7、8、9がカメラグリップ部2に相対する側から延出するため、カメラの操作性に優れる。更に、制御基板21と拡張ユニット6と外部接続端子7、8、9が近距離に配置できるため、これらを結ぶ配線長が短くでき、電気的にも効率の良いカメラシステムを構築することができる。
【００３４】
（実施例2）
本発明の第2の実施例を説明する。図6は、拡張ユニットが装着されたアクセサリー装置4の展開斜視図である。図7は、拡張ユニットが装着されないアクセサリー装置4の展開斜視図である。これらの図において、図2のものと同一の符号は同一構成要素を示している。
【００３５】
図6において、25は拡張アクセサリー着脱蓋である。拡張アクセサリー着脱蓋25には、二次電池11の係合部（穴11a）と機械的に係合するために設けられたロック爪（図示せず）があり、該ロック爪は、ロック釦13を操作することにより回動し前記係合部（穴11a）と係合する。
【００３６】
図7において、26はアクセサリー着脱蓋であり、拡張アクセサリー着脱蓋25に設けられた外部接続端子7、8、9は存在しないため、接続端子穴は設けられていない。アクセサリー着脱蓋26には、二次電池11の係合部（穴11a）と機械的に係合するために設けられたロック爪（図示せず）があり、該ロック爪は、ロック釦20を操作することにより回動し前記係合部（穴11a）と係合する。
【００３７】
本実施例では、拡張ユニットとアクセサリー着脱蓋を一体化して拡張アクセサリー着脱蓋25を構成し、これをアクセサリー格納部5に電池11と共に格納する。拡張ユニットが不要な場合は、より簡易なアクセサリー着脱蓋26をアクセサリー格納部5に電池11と共に格納する。これにより、使い勝手の良いカメラシステムを構築することが可能となる。本実施例のその他の点は、前記実施例1と同様である。
【図面の簡単な説明】
【００３８】
【図１】本発明を適用できるカメラの外観構成を示す斜視図である。
【図２】本発明を適用できる拡張ユニットが装着されたアクセサリー装置の展開斜視図である。
【図３】本発明を適用できる拡張ユニットが装着されたアクセサリー装置を装着したカメラの背面透視図である。
【図４】本発明を適用できる拡張ユニットが装着されていないアクセサリー装置の展開斜視図である。
【図５】本発明を適用できる拡張ユニットが装着されていないアクセサリー装置を装着したカメラの背面透視図である。
【図６】本発明を適用できる拡張アクセサリー着脱蓋が装着されたアクセサリー装置の展開斜視図である。
【図７】本発明を適用できる拡張ユニットが装着されていないアクセサリー装置の展開斜視図である。
【図８】図5に対応する上面透視図である。
【符号の説明】
【００３９】
1・・・カメラ本体
2・・・カメラグリップ部（グリップ）
3・・・撮影用のレンズ
4・・・アクセサリー装置
5・・・アクセサリー格納部
5a・・・アクセサリー格納口
6・・・拡張ユニット
7・・・無線通信用アンテナ接続端子（外部接続用端子）
8・・・有線通信用ケーブル接続端子（外部接続用端子）
9・・・外部接続用端子
10・・・拡張ユニットのカメラ接続端子
11・・・二次電池（電池）
12・・・電池のカメラ接続端子
14、26・・・アクセサリー着脱蓋
21・・・制御基板
22・・・拡張ユニット接続端子
23・・・電源基板
24・・・電池接続端子
25・・・拡張アクセサリー着脱蓋
【図１】
2010102052.tif 000003
【図２】
2010102052.tif 000004
【図３】
2010102052.tif 000005
【図４】
2010102052.tif 000006
【図５】
2010102052.tif 000007
【図６】
2010102052.tif 000008
【図７】
2010102052.tif 000009
【図８】
2010102052.tif 000010